(57)【特許請求の範囲】
【請求項１】
サイクルドライモードを使う、冷房モード及び暖房モードの何れにおいても弁閉状態を維持できる双方向型電磁弁であって、
第１の入出口ポートと第２の入出口ポートとを有し、前記第２の入出口ポート側に弁ポートが設けられ、前記第１の入出口ポート側に形成された弁室に主弁体が設けられ、前記弁ポートの周りに画定されて弁座が設けられ、前記弁体をその一端が弁座に着座した弁閉位置と前記弁座より離れた弁開位置との間に駆動するプランジャを含み、該プランジャの一端側が前記弁体の他端に連結された電磁式駆動手段が設けられ、前記プランジャの他端側の背部に弁閉維持用圧力室が画定され、
前記主弁体が前記弁閉位置にある弁閉状態において、前記第１の入出口ポートより第２の入出口ポートへ向けて流体が流れるモードであるとき前記弁閉状態を維持するように前記第１の入出口ポート側の流体圧を前記弁座部への押し付け方向に受ける前記主弁体に、前記第２の入出口ポートより前記第１の入出口ポートへ向けて流体が流れるモードであるとき前記弁閉状態を維持するように前記弁閉維持用圧力室に前記第２の入出口ポートの側の流体圧を前記弁閉維持用圧力室に導入する流体圧通路がその弁リフト方向に貫通して形成され、
前記主弁体が前記弁閉位置にある弁閉状態において、前記第１の入出口ポートと前記第２の入出口ポートとを双方向に連通接続する絞り通路が形成され、
前記絞り通路の前記第１の入出口ポートに対する開口端と前記第２の入出口ポートに対する開口端の各々に通気・通液性を有する多孔質部材が設けられていることを特徴とする双方向型電磁弁。
【請求項２】
前記絞り通路が前記弁ポートと並列に設けられていることを特徴とする請求項１に記載の双方向型電磁弁。
【請求項３】
前記絞り通路が前記主弁体に設けられていることを特徴とする請求項１に記載の双方向型電磁弁。
【請求項４】
前記流体圧通路の途中に前記流体圧通路を閉じるように付勢され前記第２の入出口ポートの側の流体圧を及ぼされることにより開弁する副弁体が設けられ、
前記主弁体が前記弁閉位置にある状態において、前記第２の入出口ポートより前記第１の入出口ポートへ向けて流体が流れるモードであるとき、前記副弁体が前記第２の入出口ポートの側の流体圧により開弁することを特徴とする請求項1乃至３何れか1項に記載の双方向型電磁弁。
【請求項５】
前記弁閉維持用圧力室を前記弁室に連通接続する液逃がし小孔が形成され、液逃がし小孔の前記弁室に対する開口端に通気・通液性を有する多孔質部材が設けられていることを特徴とする請求項１乃至４何れか１項に記載の双方向型電磁弁。
【請求項６】
前記電磁式駆動手段は、内部ばねを含む電磁ソレノイド装置により構成され、非通電時には内部ばねのばね力により前記主弁体を前記弁開位置へ駆動し、通電時には内部ばねのばね力に抗して前記主弁体を前記弁閉位置へ駆動する常開型のものであることを特徴とする請求項１乃至５の何れか１項に記載の双方向型電磁弁。
【請求項７】
圧縮機と、室外熱交換器と、第１の室内交換器と、第２の室内熱交換器と、これらをループ接続する冷媒通路と、前記室外熱交換器と前記第１の室内交換器との間の冷媒通路に設けられた膨張弁と、冷房モードと暖房モードとの切換のためにループ接続された冷媒通路における冷媒の流れ方向を反転する四方弁とを有し、前記第１の室内交換器と前記第２の室内熱交換器との間に請求項１乃至６の何れか１項に記載の双方向型電磁弁が接続され、
冷房モード及び暖房モードの何れにおいても、前記双方向型電磁弁が弁閉状態になることにより、静音除湿運転が行えることを特徴とする空気調和機。
【発明の詳細な説明】
【０００１】
【発明の属する技術分野】
この発明は、双方向型電磁弁および空気調和機に関し、特に、サイクルドライ（除湿）モードを有する空気調和機で使用される双方向型電磁弁およびサイクルドライモードを有する空気調和機に関するものである。
【０００２】
【従来の技術】
除湿運転を行える空気調和機として、室内交換器が２分割され、その２個の室内交換器間に、弁閉状態で、絞り弁となるような電磁弁（サイクルドライ弁）が設けられ、除湿運転時には、絞り弁として作用する電磁弁を冷媒が流れることにより、２分割された室内交換器のうちの上流側の室内交換器を凝縮器、下流側の室内交換器を蒸発器とし、室内空気に対して下流側の室内交換器によって冷却・除湿を行い、上流側の室内交換器によって加熱を行い、温度を下げずに除湿を行うことができる空気調和機が知られている。
【０００３】
この種の空気調和機は、特開平２−１８３７７６号公報、特開平７−９１７７８号（特許第３０４７７０２号公報、特開平１１−５１５１４号公報等に示されている。
【０００４】
【発明が解決しようとする課題】
従来より知られているサイクルドライ用の電磁弁は、冷房モード時には、弁体に対して冷媒圧が弁閉方向に作用し、大きい弁閉力を要することなく、弁閉状態が維持され、サイクルドライモード時（除湿運転時）に必要な絞り弁として有効に作用するが、ヒートポンプによる暖房モード時には、サイクルドライ用の電磁弁に対して冷媒が、冷房モード時とは逆方向に流れ、弁体に対して冷媒圧が弁開方向に作用し、大きい弁閉力が与えられていないと、弁閉状態が維持されず、絞り弁として作用することができない。
【０００５】
このため、従来のものでは、暖房時の窓ガラスや壁面の結露を除去、防止したり、室内で洗濯物を乾燥したりするための、暖房モードで除湿を行う暖房時サイクルドライモードを得ることができない。
【０００６】
また、従来の空気調和機では、除湿運転時に、サイクルドライ用の電磁弁が弁閉状態になり、電磁弁の絞り通路を冷媒が流れるため、この電磁弁が設置される室内交換器において、耳障りな冷媒擦過音（冷媒流動音）が発生すると云う問題もある。
【０００７】
この発明は、上述の如き問題点を解消するためになされたもので、冷房モード時と暖房モード時の何れにおいても、すなわち冷媒のような流体の流れ方向が反転しても弁閉状態を安定維持でき、しかも、冷媒擦過音の低減し、冷房モード時と暖房モード時の何れにおいても優れた静音性をもって除湿運転を行うことができる双方向型電磁弁および空気調和機を提供することを目的としている。
【０００８】
【課題を解決するための手段】
上述の目的を達成するために、この発明による双方向型電磁弁は、サイクルドライモードを使う、冷房モード及び暖房モードの何れにおいても弁閉状態を維持できる双方向型電磁弁であって、第１の入出口ポートと第２の入出口ポートとを有し、前記第２の入出口ポート側に弁ポートが設けられ、前記第１の入出口ポート側に形成された弁室に主弁体が設けられ、前記弁ポートの周りに画定されて弁座が設けられ、前記弁体をその一端が弁座に着座した弁閉位置と前記弁座より離れた弁開位置との間に駆動するプランジャを含み、該プランジャの一端側が前記弁体の他端に連結された電磁式駆動手段が設けられ、前記プランジャの他端側の背部に弁閉維持用圧力室が画定され、前記主弁体が前記弁閉位置にある弁閉状態において、前記第１の入出口ポートより第２の入出口ポートへ向けて流体が流れるモードであるとき前記弁閉状態を維持するように前記第１の入出口ポート側の流体圧を前記弁座部への押し付け方向に受ける前記主弁体に、前記第２の入出口ポートより前記第１の入出口ポートへ向けて流体が流れるモードであるとき前記弁閉状態を維持するように前記弁閉維持用圧力室に前記第２の入出口ポートの側の流体圧を前記弁閉維持用圧力室に導入する流体圧通路がその弁リフト方向に貫通して形成され、前記主弁体が前記弁閉位置にある弁閉状態において、前記第１の入出口ポートと前記第２の入出口ポートとを双方向に連通接続する絞り通路が形成され、前記絞り通路の前記第１の入出口ポートに対する開口端と前記第２の入出口ポートに対する開口端の各々に通気・通液性を有する多孔質部材が設けられているものである。
【０００９】
この構成によれば、第１の入出口ポートより第２の入出口ポートへ向けて流体が流れるモードでは、主弁体が弁閉位置にある状態において、その流体圧は弁室にて主弁体に対して弁閉方向に直接作用し、これに対し、第２の入出口ポートより第１の入出口ポートへ向けて流体が流れるモードにおいては、主弁体が弁閉位置にある状態において、その流体圧は主弁体に対して弁開方向に直接作用するが、流体圧通路が前記主弁体にその弁リフト方向に貫通して形成されているので、弁閉維持用圧力室に第２の入出口ポートの側の流体圧が導入され、弁閉維持用圧力室に導入された流体圧が主弁体に対して弁閉方向に作用し、冷房モード・暖房モード何れのモードでも、主弁体が弁閉位置に位置する弁閉状態が安定維持され、絞り通路が有効に機能する。
しかも、絞り通路の第１の入出口ポートに対する開口端と第２の入出口ポートに対する開口端の各々に多孔質部材が設けられているから、冷媒等の液体が多孔質部材を流れることにより得られる整流化作用等による擦過音の低減効果が、第１の入出口ポートより第２の入出口ポートへ向けて流体が流れるモードと、第２の入出口ポートより第１の入出口ポートへ向けて流体が流れるモードの何れのモードでも得られる。
【００１０】
この発明による双方向型電磁弁は、更に、前記流体圧通路の途中に前記流体圧通路を閉じるように付勢され前記第２の入出口ポートの側の流体圧を及ぼされることにより開弁する副弁体が設けられ、前記主弁体が前記弁閉位置にある状態において、前記第２の入出口ポートより前記第１の入出口ポートへ向けて流体が流れるモードであるとき、前記副弁体が前記第２の入出口ポートの側の流体圧により開弁するので、いずれの冷媒の流れ方向であっても安定な弁閉状態を維持することができる。
【００１１】
この発明による双方向型電磁弁は、更に、前記弁閉維持用圧力室を前記弁室に連通接続する液逃がし小孔が形成され、液逃がし小孔の前記弁室に対する開口端に通気・通液性を有する多孔質部材が設けられており、この多孔質部材によって液逃がし小孔を流れる液体についても擦過音の低減効果が得られる。
【００１２】
また、この発明による双方向型電磁弁は、前記電磁式駆動手段が、内部ばねを含む電磁ソレノイド装置により構成され、非通電時には内部ばねのばね力により前記主弁体を前記弁開位置へ駆動し、通電時には内部ばねのばね力に抗して前記主弁体を前記弁閉位置へ駆動する常開型のものとすることができ、電力消費量の低減を図ることができる。
【００１３】
また、上述の目的を達成するために、この発明による空気調和機は、圧縮機と、室外熱交換器と、第１の室内交換器と、第２の室内熱交換器と、これらをループ接続する冷媒通路と、前記室外熱交換器と前記第１の室内交換器との間の冷媒通路に設けられた膨張弁と、冷房モードと暖房モードとの切換のためにループ接続された冷媒通路における冷媒の流れ方向を反転する四方弁とを有し、前記第１の室内交換器と前記第２の室内熱交換器との間に上述の発明による双方向型電磁弁が接続され、冷房モードと暖房モードの何れにおいても、前記双方向型電磁弁が弁閉状態になることにより、静音除湿運転が行えるものである。
【００１４】
【発明の実施の形態】
以下に添付の図を参照してこの発明の実施の形態を詳細に説明する。
図１はこの発明による双方向型電磁弁の一つの実施の形態を示している。双方向型電磁弁は、全体を符号１０により示されており、金属等により構成された弁ハウジング１１を有している。
【００１５】
弁ハウジング１１は、第１の入出口ポート１２と、第２の入出口ポート１３と、第１の入出口ポート１２と第２の入出口ポート１３との間に形成された弁室１４とを有している。
【００１６】
弁室１４内には円筒形状の弁座部材１５が配置されている。弁座部材１５は、第２の入出口ポート１３が開口している弁室底部１４Ａより少し浮かせた状態で弁ハウジング１１に固定されており、中心部に貫通孔形状による弁ポート１６を形成している。弁ポート１６は、弁室１４を介して第１の入出口ポート１２と第２の入出口ポート１３との間にあり、弁室１４の側の開口端周りに弁座部１７を画定している。これにより、弁室１４は第１の入出口ポート１２の側にあって第１の入出口ポート１２と常時連通となる。
【００１７】
弁座部材１５は外周部に弁ポート１６と同心の環状溝１８を形成され、環状溝１８の端壁部をなす円環状のフランジ部１９、２０の各々に複数個の連通孔２１、２２が貫通形成されている。環状溝１８には、円筒フィルタ部材２３、絞りリング部材２４、円筒フィルタ部材２５が軸線方向（図にて上下方向）に順に装着されている。
【００１８】
絞りリング部材２４は弁座部材１５は外周面との間に円環状の絞り通路２６を画定している。絞り通路２６は、弁ポート１６とは並列の流路をもって第１の入出口ポート１２、弁室１４と第２の入出口ポート１３とを連通接続している。
【００１９】
円筒フィルタ部材２３は絞り通路２６の第１の入出口ポート１２に対する開口端の側にあり、もう一つの円筒フィルタ部材２５は絞り通路２６の第２の入出口ポート１３に対する開口端の側にあり、これら円筒フィルタ部材２３、２５は、焼結金属、焼結多層金網、プラスチックス多孔体等、通気・通液性を有するの多孔質部材により構成され、異物捕捉作、液体流整流化を行う。
【００２０】
なお、円筒フィルタ部材２３、２５の各々の総通路断面積は絞り通路１８の通路断面積（合計面積）より大きく、後述する主弁体２７が弁ポート１６を閉じている状態での絞り流量は、絞り通路２６の通路断面積により決まるようになっている。これにより、電磁弁１０の絞り度の最適設定が絞りリング部材２４の内径寸法の設定等により容易なものになる。
【００２１】
弁室１４には主弁体２７が図にて上下方向（弁リフト方向）に移動可能に設けられている。主弁体２７は、図示されている位置より降下して弁ポート１６の周りに画定されている弁座部１７にその一端が着座する弁閉位置と、図示されているように弁座部１７より離れた弁開位置との間に移動可能になっている。
【００２２】
弁ハウジング１１には電磁ソレノイド装置５０が取り付けられている。電磁ソレノイド装置５０は、弁ハウジング１１の上部に一体形成されたプランジャチューブ部５１と、プランジャチューブ部５１内の底部（弁ハウジング１１）に固定された吸引子５２と、プランジャチューブ部５１内に軸線方向に移動可能に設けられたプランジャ５３と、プランジャチューブ部５１の上端部に取り付けられたコイルガイド部材５４と、プランジャチューブ部５１の外側に設けられ、ボルト５５によってコイルガイド部材５４に固定された電磁コイル部５６および外凾５７と、吸引子５２とプランジャ５３との間に設けられた内部ばね５８と、ストップリング５９とを有している。
【００２３】
主弁体２７のステム部２８は、吸引子２２を貫通してプランジャ５３の側に延在し、主弁体の他端となる上端部２９にてプランジャ５３とかしめ結合されている。
【００２４】
これにより、電磁ソレノイド装置５０は、電磁コイル部５６に通電が行われていない非通電時には、内部ばね５８のばね力によってプランジャ５３と共に主弁体２７を上方（弁開方向）へ駆動し、これに対し、電磁コイル部５６に通電が行われている通電時には、プランジャ５３が内部ばね５８のばね力に抗して吸引子５２側に磁気的に吸引されることにより、主弁体２７を下方（弁閉方向）へ駆動する。
【００２５】
すなわち、電磁ソレノイド装置５０は、非通電時には内部ばね５８のばね力により主弁体２７を弁座部１７より離れた弁開位置へ駆動し、通電時には内部ばね５８のばね力に抗して主弁体２７を弁座部１７に着座させて絞り通路２６により微少流量の流れを確保する絞り状態を得る弁閉位置へ駆動する常開型になっている。
【００２６】
プランジャ５３は、カップ形状をなしており、背部側において、コイルガイド部材５４との間に弁閉維持用圧力室３０を画定している。プランジャ５３の外周には、弁閉維持用圧力室３０の気密性を得るためのシールリング６０が取り付けられている。弁閉維持用圧力室３０におけるプランジャ５３の有効径（外径）は弁ポート１５の有効径（内径）より大きく、弁閉維持用圧力室３０に導入される流体圧はプランジャ５３に対して主弁体２７を弁閉位置へ付勢する方向に作用する。
【００２７】
主弁体２７には、弁閉維持用圧力室３０に連通する内部通路（流体圧通路）３１、３２が弁リフト方向に貫通形成されている。内部通路３１、３２は下端側にて弁ポート１６および第２の入出口ポート１３と対向する主弁体底部の開口３３によって弁ポート１６および第２の入出口ポート１３に向けて開口している。
【００２８】
内部通路３２は副弁室をなしており、リング状の弁座部材３４と、弁座部材３４に対して離接することにより弁ポート３５の開閉を行副弁体３６と、副弁体３６を弁閉方向に付勢する弁閉ばね３７とが組み込まれている。副弁体３６は、主弁体２７が弁閉状態にある状態において、第２の入出口ポート１３の側の流体圧を弁ポート１６より弁開方向に及ぼされ、この流体圧によってチェック弁に開弁する。副弁体３６が弁開すると、弁ポート３５、副弁体３６と内部通路３２との間隙３８、副弁体３６に形成された孔３９、４０を介して内部通路３１と開口３３とが連通状態になる。
【００２９】
主弁体２７のステム部２８にはプランジャ内圧逃がし用の液逃がし孔４１が形成されている。液逃がし孔４１が形成されていることで、電磁ソレノイド装置５０の通電停止時に、磁気的に吸引されているプランジャ５３の内部ばね５８のばね力による吸引子５２からの離間が、弁閉維持用圧力室３０の内圧によって阻止されることがなくなる。なお、液逃がし孔４１は、弁閉維持用圧力室３０が有効に作用するよう、副弁体３５が弁開している状態で内部通路３１、３２を流れる流体の流量よりブリード流量が小流量になるように口径を設定されている。
【００３０】
液逃がし孔４１は、ステム部２８の径方向に貫通形成され、一方にて内部通路３１に対して開口し、他方にてステム部２８の外周面に開口している。液逃がし孔４１が開口しているステム部２８の外周部分には、焼結金属、焼結多層金網、プラスチックス多孔体等、通気・通液性を有する多孔質部材による円筒フィルタ部材４２が装着されている。この円筒フィルタ部材４２も、異物捕捉作、液体流整流化を行う。
【００３１】
つぎに、上述の構成による双方向型電磁弁１０の動作について説明する。
（第１の入出口ポート１２より第２の入出口ポート１３へ向けて流体（冷媒）が流れるモード（冷房モード）時）
電磁ソレノイド装置５０に通電が行われていない状態では、図示されているように、電磁ソレノイド装置５０の内部ばね５８のばね力によってプランジャ５３と共に主弁体２７が持ち上げられて弁座部１７より離れ、実質的な絞り作用がない全開の弁開状態が得られる。
【００３２】
電磁ソレノイド装置５０に通電が行われると、内部ばね５８のばね力に抗してプランジャ５３が吸引子５２側に磁気的に吸引され、主弁体２７が弁閉方向へ駆動され、主弁体２７が弁座部１７に着座する。この弁閉状態では、絞り通路２６によって微少流量の流れを確保する絞り状態が得られる。
【００３３】
この弁閉状態では、第１の入出口ポート１２より弁室１４に流入する一次圧が主弁体２７に対してこれを弁座部１７に押し付ける方向に作用し、主弁体２７の弁閉状態が安定維持される。
【００３４】
この弁閉時の冷媒通路（流体通路）は、円筒状フィルタ２３→絞り通路２６→円筒状フィルタ２５となり、絞り通路２６の前後に多孔質部材による円筒状フィルタ２３、２５があることにより、冷媒流れ中の異物捕捉が行われると共に、冷媒の流れが整流化され、結果として、冷媒通過音が低減し、静音性が向上する。
【００３５】
なお、この弁閉状態では、第２の入出口ポート１３の側は、下流側で、低圧状態（二次圧）になっているから、副弁体３５が弁開することがなく、その必要もない。
【００３６】
（第２の入出口ポート１３より第１の入出口ポート１２へ向けて流体（冷媒）が流れるモード（暖房モード）時）
電磁ソレノイド装置５０に通電が行われていない状態では、図示されているように、電磁ソレノイド装置５０の内部ばね５８のばね力によってプランジャ５３と共に主弁体２７が持ち上げられて弁座部１７より離れ、実質的な絞り作用がない全開の弁開状態が得られる。
【００３７】
電磁ソレノイド装置５０に通電が行われると、内部ばね５８のばね力に抗してプランジャ５３が吸引子５２側に磁気的に吸引され、主弁体２７が弁閉方向へ駆動され、主弁体２７が弁座部１７に着座する。この弁閉状態では、絞り通路２６によって微少流量の流れを確保する絞り状態が得られる。
【００３８】
この弁閉時の冷媒通路（流体通路）は、円筒状フィルタ２５→絞り通路２６→円筒状フィルタ２３となり、この場合も、絞り通路２６の前後に多孔質部材による円筒状フィルタ２３、２５があることにより、冷媒流れ中の異物捕捉が行われると共に、冷媒の流れが整流化され、結果として、冷媒通過音が低減し、静音性が向上する。
【００３９】
この弁閉状態では、第２の入出口ポート１３の一次圧が主弁体２７に対して弁開方向に作用するが、次の動作により、この場合も、弁閉状態が安定維持される。
【００４０】
主弁体２７が弁座部１７に着座すると、第２の入出口ポート１３の流体圧が弁ポート１６より弁ポート３５を介して副弁体３５に作用し、副弁体３５が弁閉ばね３６のばね力に抗して弁開し、内部通路３１、３２の連通が確立する。
【００４１】
これにより、弁閉維持用圧力室３０に第２の入出口ポート１３の一次圧が入り、一次圧がプランジャ５３に対して弁閉方向に作用し、この作用によって主弁体２７が弁座部１７に押し付けられ、主弁体２７の弁閉状態が安定維持される。
【００４２】
図２はこの発明による双方向型電磁弁の他の実施の形態を示している。なお、図２において、図１に対応する部分は、図１に付した符号と同一の符号を付けて、その説明を省略する。
【００４３】
この実施の形態による双方向型電磁弁１０’と上述した実施の形態による双方向型電磁弁１０との相違点は、絞り通路構造が弁ハウジング１１側に代えて主弁体２７に組み込まれている点と、電磁ソレノイド装置５０が無吸引子型のものである点である。
【００４４】
主弁体２７の開口３３は、弁座部材３４の弁ポート３５に連通していると共に、主弁体２７に形成された複数個の連通孔６１、周溝６２、６３によって主弁体２７の側周部で弁室１４に連通している。
【００４５】
周溝６３には混入物捕捉用の円筒状フィルタ要素６４が嵌合装着されている。円筒状フィルタ要素６４は、ステンレス鋼、真鍮等による多孔性焼結金属フィルタやステンレス鋼等による積層金網フィルタにより構成されている。円筒状フィルタ要素６４はプランジャ５３に形成された液逃がし孔４１のフィルタを兼ねている。
【００４６】
主弁体２７の開口３３には円柱状フィルタ要素６５、オリフィス通路（絞り通路）６６を形成された板状の絞り通路部材６７、円柱状フィルタ要素６８が順に挿入され、これらは、複数個の噴出孔６９を有する分散噴出座金７０を介してかしめにより主弁体２７に固定され、一方において連通孔６１、周溝６２、円筒状フィルタ要素６４を経て弁室１４に常時連通し、他方において主弁体弁閉時には噴出孔６９を介して弁ポート１６、第２の入出口ポート１３に連通する。
【００４７】
円柱状フィルタ要素６５、６７は、上述した実施の形態における円筒状フィルタ要素２３、２５と同様に、焼結金属、焼結多層金網、プラスチックス多孔体等、通気・通液性を有する多孔質部材により構成され、異物捕捉作、液体流整流化を行う。
【００４８】
つぎに、上述の構成による双方向型電磁弁１０’の動作について説明する。
（第１の入出口ポート１２より第２の入出口ポート１３へ向けて流体（冷媒）が流れるモード（冷房モード）時）
電磁ソレノイド装置５０に通電が行われていない状態では、電磁ソレノイド装置５０の内部ばね５８のばね力によってプランジャ５３と共に主弁体２７が持ち上げられて弁座部１７より離れ、実質的な絞り作用がない全開の弁開状態が得られる。
【００４９】
電磁ソレノイド装置５０に通電が行われると、図示されてしいるように、内部ばね５８のばね力に抗してプランジャ５３が図にて下側に磁気的に吸引され、主弁体２７が弁閉方向へ駆動され、主弁体２７が弁座部１７に着座する。この弁閉状態では、オリフィス通路６６によって微少流量の流れを確保する絞り状態が得られる。
【００５０】
この弁閉状態では、第１の入出口ポート１２より弁室１４に流入する一次圧が主弁体２７に対してこれを弁座部１７に押し付ける方向に作用し、主弁体２７の弁閉状態が安定維持される。
【００５１】
この弁閉時の冷媒通路（流体通路）は、円筒状フィルタ６４→周溝６２→連通孔６１→円柱状フィルタ６５→オリフィス通路６６→円柱状フィルタ６８→噴出孔６９となり、オリフィス通路６６の前後に多孔質部材による円柱状フィルタ６５、６８があることにより、冷媒流れ中の異物捕捉が行われると共に、冷媒の流れが整流化され、結果として、冷媒通過音が低減し、静音性が向上する。
【００５２】
（第２の入出口ポート１３より第１の入出口ポート１２へ向けて流体（冷媒）が流れるモード（暖房モード）時）
電磁ソレノイド装置５０に通電が行われていない状態では、電磁ソレノイド装置５０の内部ばね５８のばね力によってプランジャ５３と共に主弁体２７が持ち上げられて弁座部１７より離れ、実質的な絞り作用がない全開の弁開状態が得られる。
【００５３】
電磁ソレノイド装置５０に通電が行われると、図示されているように、内部ばね５８のばね力に抗してプランジャ５３が下側に磁気的に吸引され、主弁体２７が弁閉方向へ駆動され、主弁体２７が弁座部１７に着座する。この弁閉状態では、オリフィス通路６６によって微少流量の流れを確保する絞り状態が得られる。
【００５４】
この弁閉時の冷媒通路（流体通路）は、噴出孔６９→円柱状フィルタ６８→オリフィス通路６６→円柱状フィルタ６５→連通孔６１→周溝６２→円筒状フィルタ６４となり、この場合も、オリフィス通路６６の前後に多孔質部材による円柱状フィルタ６５、６８があることにより、冷媒流れ中の異物捕捉が行われると共に、冷媒の流れが整流化され、結果として、冷媒通過音が低減し、静音性が向上する。
【００５５】
この弁閉状態では、第２の入出口ポート１３の一次圧が主弁体２７に対して弁開方向に作用するが、次の動作により、この場合も、弁閉状態が安定維持される。
【００５６】
主弁体２７が弁座部１７に着座すると、第２の入出口ポート１３の流体圧が弁ポート１６より噴出孔６９、円柱状フィルタ６８、オリフィス通路６６、円柱状フィルタ６５、弁をポート３５を介して副弁体３５に作用し、副弁体３５が弁閉ばね３６のばね力に抗して弁開し、内部通路３１、３２の連通が確立する。
【００５７】
これにより、弁閉維持用圧力室３０に第２の入出口ポート１３の一次圧が入り、一次圧がプランジャ５３に対して弁閉方向に作用し、この作用によって主弁体２７が弁座部１７に押し付けられ、主弁体２７の弁閉状態が安定維持される。
【００５８】
図３はこの発明による空気調和機の一つの実施の形態を示している。この空気調和機は、圧縮機１００と、室外熱交換器１０１と、第１の室内交換器１０２と、第２の室内熱交換器１０３と、これらをループ接続する冷媒通路１０５〜１１３と、室外熱交換器１０１と第１の室内交換器１０２との間の冷媒通路（１０７、１０８、１０９）に設けられた膨張弁１０４と、冷房モードと暖房モードとの切換のためにループ接続された冷媒通路１０５〜１１３における冷媒の流れ方向を反転する四方弁１１４とを有している。
【００５９】
第１の室内交換器１０２と第２の室内熱交換器１０３との間の冷媒通路１１０には上述した構成による双方向型電磁弁１０あるいは１０’が接続されている。この場合、双方向型電磁弁１０あるいは１０’の第１の入出口ポート１２は第１の室内交換器１０２の出口側に接続され、第２の入出口ポート１３が第２の室内熱交換器１０３の入口側に接続される。
【００６０】
冷房モードでは、図３にて矢印で示されている方向に冷媒が循環する。この時には、双方向型電磁弁１０あるいは１０’においては、第１の入出口ポート１２より第２の入出口ポート１３へ向けて冷媒が流れ、双方向型電磁弁１０あるいは１０’が弁開している状態で、冷房モードが得られ、双方向型電磁弁１０が弁閉している状態では、双方向型電磁弁１０あるいは１０’が絞り弁として作用し、冷房サイクルドライモード（冷房時除湿）が得られる。
【００６１】
暖房モードでは、図３にて矢印で示されている方向とは逆方向に冷媒が循環する。この時には、双方向型電磁弁１０あるいは１０’においては、第２の入出口ポート１３より第１の入出口ポート１２へ向けて冷媒が流れ、双方向型電磁弁１０あるいは１０’が弁開している状態で、暖房モードが得られ、双方向型電磁弁１０あるいは１０’が弁閉している状態では、双方向型電磁弁１０あるいは１０’が絞り弁として作用し、暖房サイクルドライモード（暖房時除湿）が得られる。
【００６２】
暖房サイクルドライモードでは、前述したように、第２の入出口ポート１３に現れる一次圧が双方向型電磁弁１０あるいは１０’の主弁体２７に対して弁開方向に作用するが、この時には、一次圧によって副弁体３５が弁開し、弁閉維持用圧力室３０に第２の入出口ポート１３の一次圧が入り、主弁体２７の弁閉状態が安定維持される。これにより、暖房サイクルドライモードも安定して得られる。
【００６３】
【発明の効果】
以上の説明から理解される如く、この発明による双方向型電磁弁によれば、第１の入出口ポートより第２の入出口ポートへ向けて流体が流れるモードでは、主弁体が弁閉位置にある状態において、その流体圧は弁室にて主弁体に対して弁閉方向に直接作用し、これに対し、第２の入出口ポートより第１の入出口ポートへ向けて流体が流れるモードにおいては、主弁体が弁閉位置にある状態において、その流体圧は主弁体に対して弁開方向に直接作用するが、流体圧通路が前記主弁体にその弁リフト方向に貫通して形成されているので、弁閉維持用圧力室に第２の入出口ポートの側の流体圧が導入され、弁閉維持用圧力室に導入された流体圧が主弁体に対して弁閉方向に作用し、冷房モード・暖房モード何れのモードでも、主弁体が弁閉位置に位置する弁閉状態が安定維持され、絞り通路が有効に機能する。すなわち、流体の流れ方向が反転しても、他の電磁アクチュエータ等を必要とすることなく、弁閉状態が安定維持され、絞り通路が有効に機能する。
【００６４】
しかも、絞り通路の第１の入出口ポートに対する開口端と第２の入出口ポートに対する開口端の各々に多孔質部材が設けられているから、冷媒等の液体が多孔質部材を流れることにより得られる整流化作用等による擦過音の低減効果が、第１の入出口ポートより第２の入出口ポートへ向けて流体が流れるモードと、第２の入出口ポートより第１の入出口ポートへ向けて流体が流れるモードの何れのモードでも得られ、何れのモードでも静音性が得られる。
【００６５】
また、この発明による空気調和機によれば、第１の室内交換器と第２の室内熱交換器との間に、上述の双方向型電磁弁が接続されていることにより、冷房モードと暖房モードの何れにおいても、双方向型電磁弁が弁閉状態になることにより、優れた静音性による除湿運転が行えるようになる。
【図面の簡単な説明】
【図１】この発明による双方向型電磁弁の一つの実施の形態を示す断面図である。
【図２】この発明による双方向型電磁弁の他の実施の形態を示す断面図である。
【図３】この発明による空気調和機の一つの実施の形態を示すブロック図である。
【符号の説明】
１０、１０’  双方向型電磁弁
１１  弁ハウジング
１２  第１の入出口ポート
１３  第２の入出口ポート
１４  弁室
１５  弁座部材
１６  弁ポート
１７  弁座部
２３、２５  円筒状フィルタ要素
２６  絞り通路
２７  主弁体
３０  弁閉維持用圧力室
３１、３２  内部通路（流体圧通路）
３４  弁座部材
３６  副弁体
４１  液逃がし孔
４２  円筒状フィルタ要素
５０  電磁ソレノイド装置
５３  プランジャ
５６  電磁コイル部
５８  内部ばね
６４  円筒状フィルタ要素
６５  円柱状フィルタ要素
６６  オリフィス通路
６８  円柱状フィルタ要素
１００  圧縮機
１０１  室外熱交換器
１０２  第１の室内交換器
１０３  第２の室内熱交換器
１０５〜１１３  冷媒通路
１１４  四方弁
【図１】
0004077205.tif 000002
【図２】
0004077205.tif 000003
【図３】
0004077205.tif 000004